(57)【要約】本発明は、薬剤容器を受け入れるための形状をした本体に含まれた薬剤の貯蔵、開示、且つ／又は取り出し用の薬剤取り出し装置を提供する。前記本体に連結した、データを送信及び受信するための第一のトランシーバが存在する。薬剤容器は、前記本体によって受け入れ可能である。前記薬剤容器に連結した、データを送信及び受信するための第二のトランシーバが存在する。前記データは、第一のトランシーバから第二のトランシーバへ二つの機能で転送可能となる。前記薬剤取り出し装置は、部品からなるキットで提供されてもよい。
2004503338.tif 000002
【特許請求の範囲】
【請求項１】
薬剤容器を受け入れる形状をした本体と、
前記本体に連結して、データを送信及び受信する第一のトランシーバと、
前記本体によって受け入れ可能な薬剤容器と、
前記薬剤容器に連結して、データを送信及び受信する第二のトランシーバと、を有し、
前記第一のトランシーバから前記第二のトランシーバへ二つの機能でデータを転送することができる、
ことを特徴とする薬剤取り出し装置。
【請求項２】
前記薬剤容器が前記本体に全体的、又は部分的に受け入れられたときに、前記データは、転送可能となることを特徴とする請求項１に記載の薬剤取り出し装置。
【請求項３】
前記薬剤容器と前記本体が、それらの間において決められた位置に位置決めされたときに、前記データは、転送可能となることを特徴とする請求項１または２どちらに記載の薬剤取り出し装置。
【請求項４】
第一のトランシーバと第二のトランシーバとの間で、直接の物理的接触無しに、前記データは、転送可能となることを特徴とする請求項１から３いずれかに一項に記載の薬剤取り出し装置。
【請求項５】
第一のトランシーバと第二のトランシーバとの間でワイヤレスにて、前記データは、転送可能となることを特徴とする請求項４に記載の薬剤取り出し装置。
【請求項６】
前記第一のトランシーバは、直接的に作動するトランシーバであり、前記第二のトランシーバは、間接的に作動するトランシーバであることを特徴とする請求項１から５いずれか一項に記載の薬剤取り出し装置。
【請求項７】
前記第二のトランシーバは、タグを含み、そのタグは、
エネルギを送信又は受信するためのアンテナと、
前記アンテナに接続された集積回路チップとを含み、
且つ、前記第一のトランシーバは、前記タグに対する読み出し装置を含む、
ことを特徴とする請求項１から６いずれか一項に記載の薬剤取り出し装置。
【請求項８】
前記集積回路チップは、固定記憶装置の領域を有することを特徴とする請求項７に記載の薬剤取り出し装置。
【請求項９】
前記集積回路チップは、限定された読み出しアクセスをもったメモリ領域を有することを特徴とする請求項７または８の一項に記載の薬剤取り出し装置。
【請求項１０】
前記集積回路チップは、読み出し／書き込みメモリ領域を有することを特徴とする請求項に記載の７から９のいずれか一項に薬剤取り出し装置。
【請求項１１】
前記集積回路チップは、一度にプログラム可能なメモリ領域を有することを特徴とする請求項７から１０いずれか一項に記載の薬剤取り出し装置。
【請求項１２】
前記一度にプログラム可能なメモリ領域は、独自のシリアル・ナンバを有する領域を含むことを特徴とする請求項１１に記載の薬剤取り出し装置。
【請求項１３】
前記集積回路チップは、変更不可能なデータ項目を含む事前設定のメモリ領域を有することを特徴とする請求項７から１２のいずれか一項に記載の薬剤取り出し装置。
【請求項１４】
前記集積回路チップは、複数のメモリ領域を有することを特徴とする請求項７から１３のいずれか一項に記載の薬剤取り出し装置。
【請求項１５】
前記集積回路チップのいずれかのメモリ領域は、暗号化された形式でデータを有することを特徴とする請求項７から１４のいずれか一項に記載の薬剤取り出し装置。
【請求項１６】
集積回路チップのいずれかのメモリ領域は、パスワードによる保護がなされていることを特徴とする請求項７から１５いずれか一項に記載の薬剤取り出し装置。
【請求項１７】
前記集積回路は、複数のメモリ領域を有し、そこでは、
（ａ）独自のシリアル・ナンバを含む固定記憶装置と、
（ｂ）読み出しのみが可能となる読み出し／書き込みメモリ領域と、
（ｃ）暗号化された形式でデータを有するパスワード保護メモリ領域と、
を含むことを特徴とする請求項７から１６のいずれか一項に記載の薬剤取り出し装置。
【請求項１８】
キャリア上に前記タグがあり、該キャリアは、前記薬剤容器に取り付け可能であることを特徴とする請求項７から１７のいずれか一項に記載の薬剤取り出し装置。
【請求項１９】
前記キャリアは軟質のラベルであることを特徴とする請求項１８に記載の薬剤取り出し装置。
【請求項２０】
前記キャリアは、前記薬剤容器を取り付けるためのカラーであることを特徴とする請求項１８に記載の薬剤取り出し装置。
【請求項２１】
前記キャリアは、薬剤容器に取り付け可能であることを特徴とする請求項１８から２０いずれか一項に記載の薬剤取り出し装置。
【請求項２２】
前記キャリアは、前記タグを内部に含むことを特徴とする請求項１８から２１のいずれか一項に記載の薬剤取り出し装置。
【請求項２３】
前記キャリアは、前記タグに対して気密性のあるシールを形成することを特徴とする請求項２２に記載の薬剤取り出し装置。
【請求項２４】
前記キャリアは絶縁材料からなることを特徴とする請求項１８から２３のいずれか一項に記載の薬剤取り出し装置。
【請求項２５】
前記絶縁材料は、ガラス材、紙材、セラミック材料、または有機重合体材料であることを特徴とする請求項１８から２３のいずれか一項に記載の薬剤取り出し装置。
【請求項２６】
前記キャリアは、フェライト材料を含むことを特徴とする請求項１８から２３のいずれか一項に記載の薬剤取り出し装置。
【請求項２７】
前記アンテナは、高周波エネルギを送信または受信する能力を有することを特徴とする請求項７から２６に記載の薬剤取り出し装置。
【請求項２８】
前記高周波エネルギは、１００ＫＨｚから２．５ＧＨｚまでの周波数を有することを特徴とする請求項７から２６のいずれか一項に記載の薬剤取り出し装置。
【請求項２９】
前記アンテナは、磁界エネルギを送信または受信する能力を有することを特徴とする請求項７から２６のいすれか一項に記載の薬剤取り出し装置。
【請求項３０】
前記第二のトランシーバは、間接的に作動する超小型電子技術のメモリチップを含み、前記第一のトランシーバは、前記超小型電子技術のメモリチップに対して直接的に作動する読み出し装置を含むことを特徴とする請求項７から２６いずれか一項に記載の薬剤取り出し装置。
【請求項３１】
前記第一のトランシーバは本体に集約されることを特徴とする請求項１から３０に記載の薬剤取り出し装置。
【請求項３２】
前記第一のトランシーバは、前記本体に取り付け取り外しが効くように、連結可能なベース・ユニットの一部に形成されることを特徴とする請求項１から３１のいずれか一項に記載の薬剤取り出し装置。
【請求項３３】
データを蓄積するためのメモリと、
前記データの演算を実行するためのマイクロプロセッサと、
前記データに関連した信号またはデータの演算結果を転送する転送装置と、
を含む電子データ管理システムを付随的に有し、
該電子データ管理システムは、第一のトランシーバ及び／または第二のトランシーバと関連付けられている
ことを特徴とする請求項１から３２のいずれか一項に記載の薬剤取り出し装置。
【請求項３４】
前記電子データ管理システムは、前記本体に集約されていることを特徴とする請求項３３に記載の薬剤取り出し装置。
【請求項３５】
前記電子データ管理システムと前記第一のトランシーバは、前記本体に取り付け取り外しが効くように連結可能なベース・ユニットの一部に形成されることを特徴とする請求項３３に記載の薬剤取り出し装置。
【請求項３６】
前記薬剤容器から薬剤を放出する放出手段を含むことを特徴とする請求項１から３５のいずれか一項に記載の薬剤取り出し装置。
【請求項３７】
前記放出手段の動作を検出するための作動検出器を含み、該作動検出器は、作動データを前記電子データ管理システムへ送信することを特徴とする請求項３６に記載の薬剤取り出し装置。
【請求項３８】
前記放出手段は、準備工程によって、準備が可能であることを特徴とする請求項３５または３６に記載の薬剤取り出し装置。
【請求項３９】
前記放出手段の準備工程を検出するような準備検出器を付随的に含み、前記準備検出器は、電子データ管理システムに準備したデータを送信することを特徴とする請求項３８に記載の薬剤取り出し装置。
【請求項４０】
薬剤容器からの薬剤の放出を検出するような放出検出器を含み、該放出検出器は、電子データ管理システムに放出したデータを送信することを特徴とする請求項３３から３９のいずれか一項に記載の薬剤取り出し装置。
【請求項４１】
ネットワーク・コンピュータと電子データ管理システムとの間にあるデータの送信が可能となるネットワーク・コンピュータに対するゲートウエイとワイヤレスで通信するための伝達機構を付随的に含むことを特徴とする請求項３３から４０のいずれか一項に記載の薬剤取り出し装置。
【請求項４２】
前記伝達機構は、前記ゲートウエイに直接通信することを特徴とする請求項４１に記載の薬剤取り出し装置。
【請求項４３】
前記伝達機構は、第二の伝達装置を介してゲートウエイと通信することを特徴とする請求項４１に記載の薬剤取り出し装置。
【請求項４４】
前記第二の伝達装置は、電気通信装置であることを特徴とする請求項４３に記載の薬剤取り出し装置。
【請求項４５】
前記伝達機構は、広域の周波数帯を有した無線周波数信号を使用した第二の伝達装置と伝達することを特徴とする請求項４３または４４に記載の薬剤取り出し装置。
【請求項４６】
前記ネットワーク・コンピュータ・システムは、公共のアクセスするネットワーク・コンピュータ・システムを含むことを特徴とする請求項４１から４５のいずれか一項に記載の薬剤取り出し装置。
【請求項４７】
前記ネットワーク・コンピュータは、個人のアクセスするネットワーク・コンピュータを含み、前記ゲートウエイは、機密保護のゲートウエイであるを特徴とする請求項４１から４５のいずれか一項に記載の薬剤取り出し装置。
【請求項４８】
前記伝達機構は、ウェブ・サイト・アドレス、電子メール・アドレス、及びプロトコル・アドレスを送信するファイルからなるグループから選択されたネットワーク・コンピュータ・システムにおいて、使用者規定のネットワーク・アドレスと通信可能となることを特徴とする請求項４１から４７のいずれか一項に記載の薬剤取り出し装置。
【請求項４９】
電子データ管理システムに使用者のデータを入力するデータ入力システムを付随的に含むことを特徴とする請求項３３から４８のいずれか一項に記載の薬剤取り出し装置。
【請求項５０】
前記データ入力システムは、マン・マシーン・インタフェース（ＭＭＩ）を含むことを特徴とする請求項４９に記載の薬剤取り出し装置。
【請求項５１】
前記使用者に対する前記電子データ管理システムからデータを表示するための目視表示ユニットを付随的に含むをことを特徴とする請求項３３から５０のいずれか一項に記載の薬剤取り出し装置。
【請求項５２】
前記局所データ記憶装置と前記電子データ管理システムとの間にあるデータの通信を可能とするために、局所データ蓄積部に繋がったデータリンクを付随的に含むことを特徴とする請求項３３から５１いずれか一項に記載の薬剤取り出し装置。
【請求項５３】
前記データリンクは、有線の相互結合、又は赤外線の相互結合を含み、前記局所データ蓄積部は、パーソナル・コンピュータ、ネットワーク・コンピュータ・システム、またはセット・トップ・ボックスを含むことを特徴とする請求項５２に記載の薬剤取り出し装置。
【請求項５４】
前記電子データ管理システムは、取り出す薬剤の最適量を計算するために予測的なアルゴリズムまたはルックアップ表を含むことを特徴とする請求項３３から５３のいずれか一項に記載の薬剤取り出し装置。
【請求項５５】
前記メモリは、詰込む薬剤投与量データに対する投与量のメモリであり、投与基準値は、投与する薬剤の最適量を計算する際に前記投与量のメモリに構築されることを特徴とする請求項５４に記載の薬剤取り出し装置。
【請求項５６】
前記取り出し機構から取り出す薬剤量を選択するセレクタを付随的に含むことを特徴とする請求項１から５５いずれか一項に記載の薬剤取り出し装置。
【請求項５７】
前記セレクタは電子データ管理システムからの信号に応答して作動可能となることを特徴とする請求項５６に記載の薬剤取り出し装置。
【請求項５８】
地理的位置検出システムを含むことを特徴とする請求項１から５７のいずれか一項に記載の薬剤取り出し装置。
【請求項５９】
呼吸に適した薬剤を供給するために、使用者の呼吸を感知するブレス・センサを付随的に含み、該センサは、前記電子データ管理システムに呼吸データを伝達することを特徴とする請求項３３から５８のいずれか一項に記載の薬剤取り出し装置。
【請求項６０】
前記センサは、患者の呼吸に応答して可動するような呼吸可動要素を含むことを特徴とする請求項５９に記載の薬剤取り出し装置。
【請求項６１】
前記呼吸可動要素は、羽根、翼、ピストン、及び羽根車からなることを特徴とする請求項６０に記載の薬剤取り出し装置。
【請求項６２】
前記センサは、使用者の呼吸に関連した圧力プロフィールを感知する圧力センサを含むことを特徴とする請求項５９に記載の薬剤取り出し装置。
【請求項６３】
前記センサは、使用者の呼吸に関連した風量プロフィールを感知する風量センサを含むことを特徴とする請求項に記載５９の薬剤取り出し装置。
【請求項６４】
前記センサは、使用者の呼吸に関連した温度プロフィールを感知する温度センサを含むことを特徴とする請求項５９に記載の薬剤取り出し装置。
【請求項６５】
前記センサは、使用者の呼吸に関連した湿度プロフィールを感知する湿度センサを含むことを特徴とする請求項５９に記載の薬剤取り出し装置。
【請求項６６】
前記センサは、使用者の呼吸に関連した酸素と二酸化炭素のプロフィールを感知するガスセンサを含むことを特徴とする請求項５９に記載の薬剤取り出し装置。
【請求項６７】
前記呼吸データは、呼吸の周期データを含むことを特徴とする請求項５９から６６のいずれか一項に記載の薬剤取り出し装置。
【請求項６８】
前記呼吸データは、最高流量のデータを含むことを特徴とする請求項５９から６６のいずれか一項に記載の薬剤取り出し装置。
【請求項６９】
前記薬剤容器から薬剤を放出するためのトリガとなり得る放出手段と、
前記トリガとなり得る放出手段をトリガとするブレス・トリガと、を含み、前記ブレス・トリガは、電子データ管理システムからのトリガとなる信号に対して応答に作動可能である
ことを特徴とする請求項５９から６６のいずれか一項に記載の薬剤取り出し装置。
【請求項７０】
前記トリガとなる信号を送信するときに前記電子データ管理システムは、前記呼吸データから導かれる予測的なアルゴリズムまたはルックアップ表を含むことを特徴とする請求項６９に記載の薬剤取り出し装置。
【請求項７１】
前記薬剤容器は、噴霧式の容器であることを特徴とする請求項１から７０のいずれか一項に記載の薬剤取り出し装置。
【請求項７２】
前記噴霧式の容器は、噴射剤中に薬剤が混ざった懸濁剤を含むことを特徴とする請求項７１に記載の薬剤取り出し装置。
【請求項７３】
前記噴射剤は、液化ＨＦＡ１３４ａ、ＨＦＡ―２２７、または二酸化炭素を含むことを特徴とする請求項７２に記載の薬剤取り出し装置。
【請求項７４】
前記噴霧式の容器は、溶媒中に薬剤を溶かした溶液を含むことを特徴とする請求項７１から７３のいずれか一項に記載の薬剤取り出し装置。
【請求項７５】
前記噴霧式の容器は乾燥粉末の容器であることを特徴とする請求項１から７０に記載の薬剤取り出し装置。
【請求項７６】
前記乾燥粉末の容器は、薬剤と乾燥粉末の形体で選択的に賦形剤を含むことを特徴とする請求項７５に記載の薬剤取り出し装置。
【請求項７７】
前記薬剤容器は、錠剤の容器であることを特徴とする請求項１から７０のいずれか一項に記載の薬剤取り出し装置。
【請求項７８】
前記薬剤は、アルブテロール、サルメテロール、プロピオン酸フルチカソン、プロピオン酸ベクロメタソンの塩またはその溶媒化合物、もしくは上記の薬剤の混合物からなることを特徴とする請求項７１から７７のいずれか一項に記載の薬剤取り出し装置。
【請求項７９】
注射器の形状を含むことを特徴とする請求項１から５８のいずれか一項に記載の薬剤取り出し装置。
【請求項８０】
（ａ）薬剤容器を受け入れる形状をした本体を含んた薬剤取り出し装置を含み、
データを送信及び受信するための第一のトランシーバが前記本体と連結しており、
（ｂ）薬剤取り出し装置の本体によって受け入れ可能な薬剤容器とを含み、
データが、前記第一のトランシーバから第二のトランシーバに二つの機能で転送可能になるように、前記データを送信及び受信するために第二のトランシーバが前記薬剤容器に連結する
ことを特徴とする部品のキット。
【請求項８１】
前記データは、前記薬剤容器が前記薬剤取り出し装置の前記本体内に受け入れられたとき、第一のトランシーバから二つの機能で転送が可能となることを特徴とする請求項８０に記載の部品のキット。
【請求項８２】
（ａ）電子データ管理システムを含む請求項３３から７９のいずれか一項の薬剤取り出し装置と、
（ｂ）遠隔データ管理システムと、を含み、そのシステム内で前記薬剤取り出し装置の電子データ管理システムと前記遠隔データ管理システムとの間でデータが転送可能となる
ことを特徴とするシステム。
【請求項８３】
前記遠隔データ管理システムは、局所データ蓄積部を含むことを特徴とする請求項８２に記載のシステム。
【請求項８４】
前記遠隔データ管理システムは、ネットワーク・コンピュータ・システムを含むことを特徴とする請求項８２に記載のシステム。
【発明の詳細な説明】
【０００１】
本発明は、薬剤の取り出しの際に、使用する薬剤取り出し装置に関する。この薬剤取り出し装置は、（例えば、再充填可能なカートリッジの形体をした）薬剤容器を有する。
【０００２】
薬用の取り出し装置は、様々な種類の薬剤を取り出すものとして、よく知られている。例えば、計量された薬剤の吸入装置（ＭＤＩ）及び乾燥粉末の吸入装置のような、吸入装置は、呼吸障害に対処するための薬剤を供給する装置として知られている。針の無い注射器を含む注入器は、患者に注入可能な薬剤を供給する機器として知られている。
【０００３】
薬用の取り出し装置の製造は、製品の仕様書に書かれた通りに注意深い管理が要求される。同様に、薬用の取り出し装置の梱包、配送、及び販売は、患者に一貫した製品の品質及び安全をもたらすことを確保するように注意深く管理されている。製品の元の状態を確認する際に、再使用目的で様々なコードや様々なシリアル・ナンバを、取り出し装置またはあらゆるパッケージに付けることは、一般的な実施例である。目視可能な表記、機械が読取り可能な表記、バーコード、及びドットコードの使用を含むマーキング技術が、幅広く使われている。
【０００４】
薬用の取り出し装置が返却されるような結果となる患者の不平に際しても、もしくは、実際にその他あらゆる理由から製品が返品された場合に際して、その製造業者は、製品の詳細をチェックするために前記コードやシリアル・ナンバを採用する。製品を偽造することは、薬用の取り出し容器が製品に再販売の価値を与えるといった問題として知られている。マーキングされた製品は、偽造する、もしくは特により読み出し認識可能な偽造品を製造するような機会を減らすために採用されている。
【０００５】
再充填可能な薬剤取り出し装置は、周知のものである。これらは、一般的に、空孔を持ったハウジングと、その中で取り付け取り外しが効くように受け入れ可能となる薬剤容器とを含む。そのハウジングと薬剤の容器は、ばらばらに、もしくは部品のキットとして販売されてもよい。このハウジングは、本質的には、程よく精巧なものであり、電子データ管理の容量を持ったいくつかのソフトを含むような、再充填可能な薬剤取り出し装置の開発は、現代には重要である。好ましくは、再充填物は、費用の観点から、比較的に、単純な形状をした薬剤カートリッジの形状をしている。患者は、精巧なアクチュエータ・ハウジングを保持し、再充填物を必要な際に挿入する。
【０００６】
再充填可能な薬剤取り出し装置に関連した今後の発展可能性な多くの課題があり、これれらの課題は、従来の幅広い用途を妨げてきた。第一の課題は、再充填物が、精度をもったアクチュエータ・ハウジングに取り込まれるようことを保障することである。第二の課題は、一度使った中古品の再使用防止や、再充填したカートリッジの偽造防止を含む。正確に再充填をすることが可能な（機械的な操作が可能な）アクチュエータ・ハウジングを製造することは、有用なことであるが、しかし、これはコストがかかり、第一の課題の魅力的な解決手段にはならない。いくつかの方法で、製品にマーキングする手段を採用することは、第二の挑戦を成し遂げるのに使われる。結局、再充填可能な薬剤取り出し装置に関連したこれらの課題またはこの他の課題を成し遂げるための更なる開発が必要となる。
【０００７】
本発明者は、これまでの使用された技術よりもより優れており、かつ重要な利点を有した再充填可能な薬剤取り出し装置に関連した本質的な課題を成し遂げるための解決方法を発明した。その解決方法は、再充填可能なアクチュエータ・ハウジングのデータ信号を送信及び受信するためのトランシーバとそれらの間で（読み出し／書き込みするような）二つの機能でデータを転送可能とするような第二のトランシーバが関連することにある。一般的な実施形態において、第一のトランシーバは、ハウジングにある電子データ管理システムの集約した部分からなる直接的に作動する（電源を持った）トランシーバであり、第二のトランシーバは、間接的に作動する（直接電源を持たない）トランシーバである。よって、第二のトランシーバは、例えば、磁気または無線周波数認識（ＲＦＤＩ）のラベルでもよく、第一のトランシーバは、そこに読み出し／書き込み能力を有した読み出し装置でもよい。
【０００８】
薬剤の再充填時に前記トランシーバは、一般的には、薬剤の種類、薬量の初期番号、製造年月日と製造場所、偽造防止コードなどの様々な製品の情報を、製造時にマーキングする。好ましくは、さらに、投与の日及び時間、処方した人及び販売者の名前、患者の識別のような情報を、薬剤を取り出し時に、マーキングすることが可能となる。アクチュエータ・ハウジングに、再充填物が挿入されたときに、ハウジングにある前記トランシーバによってマーキングが読み出され、電子データ管理システムを最新のものに書き換える。この点において、様々な安全性、製品の維持、アクチュエータに適合する製品検査は、（中古品の再充填物か、偽造品かなどの）取り上げられたあらゆる問題に対処するかもしれない。もしこの取り出し装置を採用するならば、製品の維持に関する問題を自動的に締め出すことが可能になるかもしれない。
【０００９】
本発明の重要な形態は、薬剤再充填物が入ったトランシーバとハウジングにある電子データ管理システムとの間で、二つの機能で、データが転送可能なことである。このことは、重要な利点をもたらす。例えば、薬剤取り出し装置が患者に使用される毎に、作動のデータまたは取り出しのデータが記録され、再充填物に転送される。投与回数、かつその他の作動データは、ハウジングにある電子データ管理システム及び再充填物の両方に、記録可能となる。再充填物が、ハウジングから取り外された時、次の再充填物を挿入するための再承認とることが可能となるように構成でき、電子データ管理システムを最新のものにすることが可能となる。可能ならば多種で異種の再充填物が、同じアクチュエータ・ハウジングでもって使用されるときでさえ、作業する準備が可能となる。ここで述べられた本発明は、電子データ管理の能力を有する精巧なハウジングが、時間内で多種の薬剤再充填物を、安全かつ合理的に使用可能な能力を有すことである。
【００１０】
ＰＣＴ特許出願ＷＯ９２／１７２３１号明細書には、超小型電子技術を有した薬剤吸入装置が述べられている。この薬剤容器には、デジタルの形式で、薬剤容器についての情報を表した電子誘導チップの集合体が内臓されている。この装置のハウジングは、ハウジングの超小型電子技術のメモリから情報を読み出すことができるチップに接続可能な、接触指部を含む。読み出し／書き込みの伝達は、前記指部と読み出し装置との間で可能であるのではなく、本発明の重要な利点は、この吸入装置をもって達成できるものではない。さらに、容器の帯部と、前記電子接触指部と、の間で接触することが要求され、この接触はハウジング対して容器の物理的に製造が限定されることを要求し、その結果、製品設計の選択幅が狭まる。
【００１１】
本明細書には、直接的に作動する（つまり電源を持った）超小型電子技術の要素が容器に取付けられているような実施形態も述べられている。
【００１２】
本発明の形態によれば、薬剤取り出し装置は本体に含まれ、薬剤容器を受け入れる形となった本体と、データの送信及び受信のために、本体に連結した第一のトランシーバと、本体に取付け可能な薬剤容器と、及びデータの送信受信のために、薬剤容器に連結した第二のトランシーバと、が備えられており、そこでは、二つの機能で、第一のトランシーバから第二のトランシーバへ転送される。
【００１３】
薬剤取り出し装置は、薬剤の蓄積、または／および表示、または／および取り出しのような用途にふさわしい。
【００１４】
本体は、一般的に薬剤容器が受け入れ可能な空孔で定義づけられるような形状を有している。本体また／もしくは、薬剤容器はさらに、本体と容器の「施錠と鍵」の関係のような定義付けられた様々な形状の溝、刻み目、その他の細かな形や表面を形成する。色のついた案内表示、矢印、及び表面にその他様々な印を付けてもよい。
【００１５】
前記データは、好ましくは、ディジタル形式であり、例えば、電子的または選択的な手段によって転送されるのが好ましい。薬剤容器が、本体に全体的または部分的に受け入れられた時に、データは転送可能である。本体と受け入れられた容器との間で規定位置が存在するようなデータを転送する、決められた位置が、確立されてもよい。
【００１６】
本発明の利点は、トランシーバのメモリ構築の異なった部分に、多くの種類のデータを蓄積する能力を有する。さらに、この情報は前もって、正確に転送可能となるような形式で蓄積される。
【００１７】
例えば、この情報は、製造や配送の段階において、様々な点でメモリに書き込まれる製造及び配送にともなった情報を含み、この取り出し装置の詳細で予めアクセス可能な製品履歴を提供する。このような製品履歴の情報は、製品の返品時に照会される。この入力された情報は、例えば、日時の情報も含む。この情報は、暗号化された形態、もしくはメモリをパスワードで保護が可能となる部分を備えており、独自のシリアル・ナンバも含み、このメモリは、製品を独自に認識し、偽造を検知及びそれを防止する手助けをしてもよい。この情報は、薬剤の組成と容量の情報のような基本的な製品情報、使用される消費者の名前のような消費者情報、及び計画された製品の配達地のような配送情報なども含むことが可能となる。
【００１８】
メモリに書き込まれた情報は、（例えばフランス語、英語のような）特別な言語を提供してもよく、ラテン語ではない言語（例えば中国語、タイ語のような）もしくは、多言語の形式を提供してもよい。また、ある形態では、取り出し装置は、いくつかの選択した言語で、薬剤容器から読取られた情報を表示する能力（例えば適切なソフトウェア）が提供される。
【００１９】
ある形態では、情報／言語が、（例えば製造過程において伝統的な手段であるラベルリングのように）薬剤容器に書かれた情報を表示する。容器には、地理及び／または言語が特定された製品の形式を有する。
【００２０】
また、別の形態では、薬剤容器は、（例えば製造過程において伝統的な手段であるラベルリングのように）多種の地理、及び／または言語情報を有する。そして、この容器は国際的な製品の形式を有する。この薬剤容器は、関心を持った特殊なマーケット（もしくは患者）に関連した情報／言語のデータをセットするように患者に対して（例えば処方される時期に、患者または薬局によって）読み出し／表示するような構成であってもよい。
【００２１】
さらに他の形態として、薬剤容器は、（例えば標準的な）言語／文字のセットに関する（例えば製造過程において伝統的な手段であるラベルリングのように）情報を有する。この容器は、標準的な製品の形式を有する。この薬剤取り出し装置は、標準のデータセットから、地域にあわせた書式に翻訳するような能力を提供し、この結果として、関心をもった特殊なマーケット（もしくは患者）に関連した情報／言語のデータセットのみ患者の表示する。
【００２２】
薬剤容器（例えばエアゾール缶もしくは、乾燥粉末のカセットなど）を有した薬剤取り出し装置に薬剤を充填または再充填する際に、第二のトランシーバは、例えば、独自のシリアル・ナンバ、バッチコード、及び薬剤の使用日と第二のトランシーバのあらゆる他の情報を読み出す。このようにして、薬剤の組成及び濃度は、容器内の使用された、または保持された薬量の数値と共に決定される。この情報は、視覚表示で患者に表示することも出来る。取り出し容器が薬剤の容器に再充填された回数のような他の情報を表示してもよい。
【００２３】
同様に、供給された薬剤を使い切る前に、ハウジングから容器が取り外されたならば、同様のデータが、第二のトランシーバから、残りの薬量または決められた使用薬量読み出すことが可能である。薬剤の投与日時のような他の情報または最小／最大温度を薬剤容器が曝させている湿度レベルのような他の外部データも使用者によって読み出され表示されてもよい。
【００２４】
この容器内にある供給された薬剤を使い果たした時、薬剤の容器中身が空の状態であるとき、または第一のトランシーバが第二のトランシーバのバッチコードを認識できなかったときは、使用者を保護する手段として取り出し装置の動作が妨げられてもよい。もし、この薬剤が製造者の指針から外れて一定期間、過度の環境状態に曝されたなら、この動作が妨げられてもよい。
【００２５】
トランシーバからトランシーバへ、患者によって薬剤取り出し装置の使用中に、データが転送されてもよい。例えば、薬剤取り出し装置は、その中で関連した様々なセンサを有する電子データ管理システムを含んでもよい。前記センサによって、時計または他の日時と時間の記録部を含む電子データ管理システムに関連したデータを収集するシステムから、あらゆるデータが、転送可能となる。
【００２６】
データは、患者が装置を使用する毎に、転送されてもよい。また他の形態として、データは、電子データ管理システムのデータベース記憶装置に蓄積されてもよく、周期的に、あらゆるトランシーバにダウンロードされてもよい。また他の形態では装置の使用履歴は、トランシーバのメモリに構築されてもよい。
【００２７】
他の実施形態では、薬剤取り出し装置の使用履歴は、噴霧式の容器にある第二のトランシーバに転送されてもよい。薬剤容器が使い果たされたとき、患者によって新しく再充填された容器に交換される。薬局で一般的に実施される交換する時点において、使い果たされた容器から再充填されたもの、もしくはその逆も同様に、データが転送されてもよい。付随的に、データの使用履歴は、再充填されたものから読み出されてもよく、例えば、健康管理データ管理システムの管理下で例えばネット・ワーク・コンピュータに含む健康管理データ管理システムへ転送されてもよい。
【００２８】
患者が再充填した容器を返却したり、第二のトランシーバに含まれる有用なデータを提供することに対してある種の報酬を与えられるような方法が考えられる。健康管理のデータ管理は、第二のトランシーバからのデータの受信もしくは、商用を目的とした使用のどちらかのために書き換えるような方法も考えられる。あらゆる報酬または書換えは電子的に行われる。この方法は、配送もしくはウェブ・ベースのコンピュータ・ネットワークシステムによって可能となり、このシステムにおいていかなる採取されたデータも、ネットワークを繋ぐハブを通してアクセスされる。このハブは、患者に秘密を保持したり、認可のレベルに従って集められた情報を選択的にアクセスするよう様々な保護するような特徴を加味してもよい。この使用者の認可のレベルは、主に患者の秘密を保護するような構成になってもよい。このことによって、使用者の認可レベルは、大きな商用の支払いの見返りとして、認可されたデータベースに例えば、より幅広くアクセスするための商用の記号が割り当てられてもよい。
【００２９】
ふさわしくは、第一と第二のトランシーバは、データを送信及び受信し、メモリに接続されたアンテナもしくそれと等価なものを含む。実施形態では、このアンテナは、間接的に作動する受信機にエネルギを送ることも可能である。
【００３０】
このメモリは、一般的には、集積回路のチップを含む。どちらか一方のトランシーバは、大量の情報をその中に蓄積できるようなメモリ構造を有するように構成される。このメモリ構造は、メモリの一部は読み出しのみであるように配列することが可能であり、製造時／製造後に、プログラムされ、他の部分は、読み出し／書き込みであり、パスワードで保護可能なように配列することができる。あらゆるトランシーバに向けて、またはあらゆるトランシーバから（例えば製造時、もしくは、取り出し時の）情報をはじめに転送することは、薬剤取り出し装置からはなれた読み出し装置を使用することによって事前に達成可能となり、それによって、直接製品を取り扱う必要性を最小限にとどめる。更に別の形態では、読み出し装置が複数の薬剤取り出し装置にある複数のトランシーバのメモリに対して同時に読み出し、または書み込みするような構成されることも可能である。
【００３１】
例えば、バッテリ、時計仕掛け発動電池、太陽電池、燃料電池、運動駆動電池、または（例えば、適正な変圧器を介した）商用電源供給は、そこにあるあらゆる電子要素に必要な手段として提供される。電源は、再充電可能または最充填可能なものを準備してもよい。
【００３２】
ふさわしくは、データは、直接に物理的な接触を必要としないで、第一と第二のトランシーバの間を二つの機能で転送可能とする。ふさわしくは、データは、第一と第二のトランシーバの間をワイアレスで転送可能とする。
【００３３】
好ましくは、第一のトランシーバは、直接的に作動するトランシーバであり、第二のトランシーバは、間接的に作動するトランシーバでよい。直接的に作動する手段は、直接的に電源供給する手段として使用され、間接的に作動する手段は、間接的に電源供給される手段として使用される。
【００３４】
ふさわしくは、第二のトランシーバは、動力源を送信または受信するアンテナと前記アンテナに接続された集積回路チップ含むラベルまたはタグを有し、第一のトランシーバは、前記ラベルまたはタグの読み出し装置を含む。この場合にはラベルまたはタグは、間接的に作動するトランシーバであり、この読み出し装置が直接的に作動するトランシーバを表す。好ましくは、読み出し装置は、タグまたはラベルが読み出されることが可能なようにタグまたはラベルに直接接触する必要はない。
【００３５】
タグは、目視可能な表記、機械が読取り可能な表記、バーコード、及びドットコードに含まれるような他の伝統的な製品をラべリングする方法の組み合わせ及び／または集約により使用されてもよい。
【００３６】
ふさわしくは、集積回路チップは、固定記憶装置の領域を有する。
【００３７】
ふさわしくは、集積回路チップは、限定された読み出しアクセスを有するメモリ領域を有する。
【００３８】
ふさわしくは、集積回路チップは、読み出し／書き込みメモリ領域を有する。
【００３９】
ふさわしくは、集積回路チップは、一回限りのプログラム可能なメモリ領域を有する。さらにふさわしくは、一回限りのプログラム可能なメモリ領域は、独自のシリアル・ナンバを含む。
【００４０】
ふさわしくは、集積回路チップは、工場において事前設定され、交換不可能で、独自のデータ項目を含む事前設定メモリ領域を有する。
【００４１】
ふさわしくは、集積回路チップは、複数のメモリ領域を有する。
【００４２】
ふさわしくは、あらゆるメモリ領域は、暗号化された形式でデータを含む。識別、誤った検知及びデータを検査する電気的な手法が適用されてもよい。
【００４３】
ふさわしくは、あらゆるメモリ領域は、パスワードによって保護されている。
【００４４】
さらに好ましい形態では、集積回路は、例えば製造時に埋め込まれた独自のシリアル・ナンバを有した固定記憶装置の領域を含む複数のメモリ領域を有し、これまでに書き込まれた情報を読み出し／書き込みメモリから一旦読み出され、パスワード保護メモリ領域は、データが耐偽造の暗号化された形式のデータを含む。
【００４５】
このタグは、適切な方法で、薬剤容器に連結されている。ある形態では、タグは、接着固定、溶接、スナップ嵌めのような構造、又は様々な取付け手段のような適切な手段で薬剤容器に取付けられている。この取付け手段は、例えば、接着ラベル、周囲を梱包するテープ、又はカラーの構成を含んでもよい。
【００４６】
他の形態では、タグは、薬剤容器内に配置される。例えば、薬剤の中身をもった固定されない要素または分けられた区画として配置され、または薬剤容器内に囲まれる。薬剤容器内にタグを配置する利点は、視界から隠し得ることが、タグを保護するような特徴をもった改良となることである。付随的に、タグ及び容器は、（例えば形や大きさにおいて）一対に構成されてもよく、その結果、薬剤容器またはタグが壊れたり、破損したりすることによってのみ取り除かれてもよい。
【００４７】
ふさわしくは、タグはキャリアの上にあり、このキャリアはハウジングまたは薬剤容器に取付け可能となっている。
【００４８】
ある形態では、キャリアは、軟質のラベルでもよい。他の形態では、剛体のディスクである。また別の形態では、キャリアは直角のブロックである。さらに別の形態では、キャリアは、薬剤容器を（取付けるために）受け入れるに適切な（例えば、リングの形状をもった）カラーである。
【００４９】
ふさわしくは、キャリアは、薬剤容器またはハウジングに取付け可能または溶接可能である。
【００５０】
ふさわしくは、キャリアは、タグを包み込む。さらに、好ましくは、キャリアはタグに対して、気密性のあるシールを形成する。
【００５１】
ある実施形態では、キャリアは、例えばガラス材、紙材、セラミック材料、またはポリプロピレンごとき有機重合体材料のような絶縁材料からなる。
【００５２】
他の実施形態では、キャリアは、フェライト材からなる。
【００５３】
あらゆるトランシーバの動力源は、超音波、赤外線、高周波、磁気、光学、及びレーザの形式を含む適切な形態である。あらゆる適切な経路は、動波管及びファイバ光学経路を含む動力源の経路を使用してもよい。
【００５４】
ある形態では、第二のトランシーバは高周波エネルギを送信または受信するためのアンテナを含む無線周波数識別子を含み、第一のトランシーバと前記アンテナを接続する集積回路チップは、前記無線周波数識別子に対する読み出し装置を含む。この場合、無線周波数識別子は、間接的に作動するトランシーバであり、読み出し装置が、直接的に作動するトランシーバである。無線周波数識別子の技術の利点は、読み出し装置が、読取られた高周識別子のタグまたはラベルの直接的な接触を必要としないことである。
【００５５】
この無線周波数識別子は、いくつかの公知の無線周波数識別子でよい。その識別子は、無線周波数応答器または無線周波数認識（ＲＦＩＤ）のタグまたはラベルとして時には知られている。ふさわしい無線周波数識別子は、オランダのフィリップス・セミコンダクタ社による登録商標にあるハイタグ（Ｈｉｔａｇ）とアイコード（Ｉｃｏｄｅ）という商品や、アメリカ合衆国のアムテック・システム・コーポレーションによる登録商標にあるインテリタグ（Ｉｎｔｅｌｌｉｔａｇ）という商品やアメリカ合衆国のテキサス・インストロメントによる登録商標タグイット（Ｔａｇｉｔ）という商品が含まれる。
【００５６】
ふさわしくは、ＲＥＩＤタグのアンテナは、１００ＫＨｚから２．５ＧＨｚまでの無線周波数を有した高周波エネルギを送信または受信する能力がある。また、好ましくは、無線周波数の作動は、１２５ＫＨｚ、１３．５６ＭＨｚ、２．４ＧＨｚから選択される。
【００５７】
ある形態では、第二のトランシーバは、磁界のエネルギを送信または受信するためのアンテナを含んだ磁気ラベルまたはそのタグを含み、及び、前記アンテナと第一のトランシーバに接続した集積回路チップは、磁気ラベルまたはタグに対する読み出し装置を含む。この場合、磁気ラベルまたはタグは、間接的に作動するトランシーバであり、読み出し装置は直接的に作動するトランシーバである。
【００５８】
ふさわしい磁気ラベルまたはタグは、相互に関連した多数の磁気要素を含み、この磁気要素は、問い合わせの磁界に反応して互いに関連して動く。この種の磁気ラベルまたはタグは、米国特許第４，９４０，９６６号明細書に記載されている。他のふさわしい磁気ラベルまたはタグは、問い合わせ磁気制限要素を含み、この要素は、磁界の偏った領域に現われる選択された磁界によって読み出し可能となり、この偏った領域は、異なる事前に決定された周波数において磁気制限要素に応答する結果となる。この種の磁気ラベルは、ＰＣＴ特許出願ＷＯ９２／１２４０２号明細書に記載されている。直線的な配列において複数の分離した磁気的に作用する領域を含む別の相応しい磁気ラベルまたはタグは、ＰＣＴ特許出願ＷＯ９６／３１７９０号明細書に記載されている。適切な磁気ラベルとタグは、プログラマブル・マグネティック・リーズナンス（ＰＭＲ）（登録商標）の技術に使用されるものに含まれる。
【００５９】
他の形態では、第二のトランシーバは、間接的に作動するマイクロ電子技術のメモリチップを含み、第一のトランシーバは、マイクロ電子技術のメモリチップに対する直接的に作動する読み出し装置を含む。このマイクロ電子技術のメモリチップは、電気的な消去可能なプログラム可能な読取りメモリ（ＥＥＰＯＭ）チップ、ＳＩＭカードタイプのメモリチップを含む。この場合、マイクロ電子技術のメモリチップは、間接的に作動するトランシーバであり、読み出し装置は直接的に作動するトランシーバである。
【００６０】
ここにあるあらゆるトランシーバ、特に間接的に作動するトランシーバは、化学作用を起さないキャリアの中に取付けられる又は、その中に埋め込まれる。このキャリアは、そこにある印刷された表記を受け取る機能を有するような軟質のシートでもよい。
【００６１】
ある実施形態では、第一のトランシーバは、本体に集約され、単独のユニットが含まれる。第一のトランシーバは、例えば、本体内に埋め込まれる、または取付けられている。
【００６２】
ある実施形態では、第一のトランシーバは、本体に、取り付け取り外しが効くように連結されたベース・ユニットの一部を形成する。このベース・ユニットは、例えば、スナップの付いた機構のような本体によって受け入れ可能な機構を形成する。
【００６３】
ふさわしくは、付随的に、薬剤取り出し装置は、電子データ管理システムを含み、この電子データ管理システムは、第一と第二のトランシーバに関連付けられる。この電子データ管理システムは、入力／出力の能力を有し、データを蓄積すメモリと、前記データの演算を遂行するマイクロプロセッサと、及びデータに関連した信号または作動したデータの結果前記データを転送する転送装置と、を含む。
【００６４】
ふさわしくは、電子データ管理システムは、使用者の音声によって反応または作動する。つまり、例えばこのシステムは、音声の指令に反応して、スイッチが入り切りされてもよい。
【００６５】
ある形態では、電子データ管理システムは、本体に集約される。
【００６６】
ふさわしくは、他の形態では、電子データ管理システムと第一のトランシーバは、本体に元の状態に戻せるように連結したベース・ユニットの一部に形成される。
【００６７】
ふさわしくは、薬剤取り出し装置、及び／または薬剤容器は、薬剤容器から薬剤を放出するための放出手段を備える。
【００６８】
またいくつかの実施形態では、放出手段は、放出位置を予め決める必要がある。予め決められた位置を検知する検知器は、作動位置における放出手段の挙動の検出を提供する。
【００６９】
準備工程を有する放出手段の例があり、そこでは、薬剤取り出し装置は、薬剤製品（例えば乾燥粉末の形体）の貯畜容器を含み、この準備工程は、貯畜容器から作動位置へ計量された薬量を送る作業も含む。例えば、貯畜容器がベースとなった吸入薬の装置は、当業者にはよく知られている。
【００７０】
ふさわしくは、薬剤取り出し装置は、付随的に、放出手段の動作を検知する動作検知器を含み、そこでは、電子データ管理システムに対して前記作動検知器が作動データを送信する。
【００７１】
ふさわしくは、薬剤取り出し装置は、付け加えて、放出手段の意としない多数の作動妨げるような安全機構を含む。患者は、幾度となく、短く速い呼吸をしているような状況において、軽率に複数の薬剤を投与しないように守られいる。さらに、好ましくは、安全機構は、放出手段が連続して動作する間、時間の延長を課す。一般的には、この時間の延長は、３〜３０秒までの度合いである。
【００７２】
準備工程を有する放出手段の例では、薬剤取り出し装置は、エネルギの蓄積部を含み、この蓄積部は、使用者によって準備され、トリガの動作でエネルギを蓄積し、放出する。蓄積されたエネルギの放出は、薬剤放出手段の作動で起こる。好ましい形態としては、このエネルギ蓄積は、バネのような異方性弾性部材、または圧縮されたガス、またはバッテリの容器のような圧縮性流体源からなる。化学的なエネルギ源は、化学的な液体発火剤、及び混合着火剤がふさわしく、それを含んでもよい。他のエネルギ源は、大気中で暖めれられ、または曝されたとき、缶が破裂するような液化ガスまたは固化ガスのような物理的な火薬を含む。
【００７３】
呼吸作動容器（Ｂｏｌｓ）は、蓄積されたエネルギ・システムを有する薬剤取り出し装置としてよく知られた例で、そのシステムのトリガは、患者の呼吸をトリガとしたブレス・トリガを含む。よく知られたＢｏｌｓは、計量された薬剤吸入装置（ＭＤＩ）の形をとり、薬剤容器は、噴霧式の容器を含む。
【００７４】
ふさわしくは、付随的には、薬剤取り出し装置は、薬剤容器からの薬剤の放出を検知する放出検知器を含み、そこでは、前記放出検知器は、電子データ管理システムに放出データを送信する。
【００７５】
ふさわしくは、あらゆる作動検知器、準備検知器、または放出検知器は、移動量にふさわしいパラメータを検知するセンサを含む。いつかのふさわしいセンサは、光学センサの使用を含むことが考えられる。放出検知器は、圧力、温度、音、湿度、及び二酸化炭素の濃度、酸素の濃度のような化学的な因子、または（例えば電気的なノイズ検出センサを介して）放出される薬剤または液体発泡剤の存在のように薬剤容器の放出に影響を受けたパラメータを検知する。
【００７６】
ふさわしくは、薬剤取り出し装置は、付随的に、ネットワーク・コンピュータ・システムと電子データ管理システムとの間のデータの送信が可能となるネットワーク・コンピュータ・システムに付いたワイヤレスで伝達する伝達機構を含む。ふさわしくは、この伝達機構は、ネットワークコンピュータと電子データ管理システムとの間でデータを二つの機能で転送可能である。
【００７７】
ふさわしくは、このデータは、ネットワーク・コンピュータ・システムと電子データ管理システムとの間を暗号化された形式で伝達可能である。ふさわしくは、暗号もしくは部分的な暗号化の方法すべてが考えられる。パスワードによる保護も適用される。ふさわしくは、この伝達機構は、無線周波数もしくは、光学的な信号を採用する。
【００７８】
ある形態では、この伝達機構は、ネットワーク・コンピュータ・システムに対するゲートウエイを介して伝達される。別の形態では、この伝達機構は、ネットワークで直接伝達するようなネットワーク・サーバ（例えばウェブ・サーバ）を含む。
【００７９】
さらに、ある形態では、伝達機構は、第二の伝達装置を介してゲイトウエイに伝達される。このましくは、第二の伝達装置は、電子通信装置であり、さらに好ましくは、セルラー方式の電話またはその方式のページでもよい。ふさわしくは、伝達機構は、広域の周波数をもった無線周波数信号を使用する第二の伝達装置に伝達する。ふさわしくは、広域の周波数をもったプロトコルは、ブルーツース（ＢｌｕｅＴｏｏｔｈ）（商標登録）の規格であり、これは、複数の無線周波数（例えば７９の異なる周波数）の間で（例えば１秒間に１６００回）の高速ポッピングが採用されている。さらに、プロトコルは、外部のインターフェイスの影響を減らすように（例えば三重で反復して送信するのような）データビットの複数送信を採用している。
【００８０】
ある形態では、ネットワーク・コンピュータ・システムは、公知にアクセスするネットワーク・コンピュータを含んでもよい。インターネットは、公知にアクセスするネットワークコンピュータのふさわしい例であり、インターネット・サービス・プロバイダによって、アクセスする地点は、管理された入り口地点を含む適切な入り口地点であることも可能である。公知にアクセスするネットワーク・コンピュータ・システムは、電子通信システムの一部の形成してもよく、このシステム自体、伝統的な銅線ワイヤのシステム、セルラー方式のシステムまたは光ネットワークのいずれかでよい。
【００８１】
別の実施例では、ネットワーク・コンピュータ・システムは、個人的なアクセスするネットワーク・コンピュータ・システムも含む。個人的なアクセスするネットワーク・コンピュータ・システムは、健康サービス提供者または薬剤製造者によって保持されている例えば、インタネットまたはエクストラネットを含んでもよい。このネットワークは、例えばパスワード保護、ファイア・ウオール、及び暗号化された手段を含んでもよい。
【００８２】
このましくは、この伝達機構は、ネットワーク・コンピュータ・システムで使用者規定のネットワークアドレスを伝達することも可能である。
【００８３】
この使用者規定のネットワーク・アドレスは、ウエブ・サイト・アドレス、電子メール・アドレス、及びファイル伝達プロトコル・アドレスで構成されたグループから選択されてもよい。ふさわしくは、使用者規定のネットワーク・アドレスは、離れた情報もアクセス可能であり、その結果、離れた情報源からの情報は、有用なものとされる。さらにふさわしくは、使用者規定のネットワーク・アドレスは、離れた情報源を有用なものにする可能性がある。
【００８４】
ある実施形態では、この離れた情報源は、薬剤処方師であり、例えば、医者の診断である。薬剤処方師から送られた情報は、処方の細部の変更、処方の自動的な更新またはその情報の構築も含んでもよい。薬剤処方師によって送られた情報は、コンプライアンスの情報を含んでもよく、すなわち、決められた処方の計画を有した患者のコンプライアンスに関連した情報である。例えば、患者に寄せられた診断データに関連した患者が遂行する情報は、薬剤処方師に送信されてもよい。そこでは、その取り出し装置は、呼吸疾病の例として呼吸サイクルのデータまたは最大流量のデータの診断データの信頼性を向上させるための薬剤取り出し装置である。
【００８５】
また他の実施形態では、その離れた情報源は、薬局でもよい。薬局から転送された情報は、薬剤製品に関連した情報を含んでもよい。薬局に送られた情報は、薬剤処方師によって、遠隔で事前に認知された処方の要求を含んでもよい。
【００８６】
さらに、他の形態では、その離れた情報源は、緊急補助提供者であり、例えば、病院に関わる非常事態、緊急サービスまたは非常時のヘルプラインまたはスイッチボードである。この情報は、緊急の補助を要求するような、災難または緊急事態の手助けとなる信号を含む。
【００８７】
さらに、他の形態では、離れた情報源は、薬剤生産者または薬剤搬送システムでもよい。システムに運ばれた情報は、製品の更新した情報を含む。このシステムは、システム性能に関連付けて生産者に、情報をフィードバックするような構成でもよい。
【００８８】
さらに、他の形態では、離れた情報源は、研究機関でもよい。臨床試験の状況で、試験されたプロトコルに関連した情報、及び患者のコンプライアンスに関連した情報は、研究機関にフィードバックされる。
【００８９】
さらに、他の形態では、離れた情報源は、環境監視機関でもよい。気象、花粉の度合いまたは汚染レベルに関連した情報は、このシステムにアクセス可能であってもよい。
【００９０】
ふさわしくは、薬剤取り出し装置は、付随的には、電子データ管理システムに使用者がデータを入力するための入力システムを含んでもよい。好ましくは、データ入力システムは、キーパッドから選択されるマン・マシン・インターフェイス（ＭＭＩ）、音声認識インターフェイス、を含んでもよい。グラフィカル・ユーザー・インターフェイス（ＧＵＩ）またはバイオメータ・インターフェイスを含んでもよい。
【００９１】
ふさわしくは、このシステムは、付随的に、ユーザに電子データ管理システムからのデータを表示するような視覚的表示ユニットを含んでもよい。この表示は、例えば、ＬＥＤまたはＬＣＤスクリーンのようなスクリーンを含んでもよい。さらにふさわしくは、この視覚的表示ユニットは、ハウジングと連結してもよい。
【００９２】
ふさわしくは、薬剤取り出し装置は、局所的なデータの蓄積部と電子データ管理システムとの間のデータの伝達が可能となる局所データ蓄積部を対してリンクするデータ・リンクを含む。このデータ蓄積部は、データ管理、データ分析、及びデータ伝達能力も含む。
【００９３】
このデータ蓄積部自身は、（例えば、手持型の装置のような）携帯式の装置の一部を形成しており、さもなければ、それは、患者の家の中に収容できる大きさ及び形であってもよい。このデータ蓄積部は、交換する薬剤容器を蓄えるための、物理的な蓄積領域を含む。さらにこのデータ蓄積部は、薬剤製品を貯畜するための貯畜容器から薬剤を充填するためのシステムであってもよい。このデータ蓄積部はさらに、薬剤取り出し装置にあるあらゆる電気エネルギ蓄積を充電するための電気的な最充填システム、特に、再充電システムを含む。
【００９４】
データリンクは、ハイド・ワイヤ・リンク、インフラ・レッド・リンク、その他のふさわしいワイヤレスのコミュニケータリンクによって、例えば、ドッキング・ステーション、パーソナル・コンピュータ、ネットワーク・コンピュータ・システム、またはセット・トップ・ボックス（例えば、テレビ・セット・トップ・ボックス）に繋げることが可能である。
【００９５】
ふさわしくは、電子データ管理システムは、予測的なアルゴリズムまたは取り出す薬剤の最適量を計算するルックアップ表を含む。
【００９６】
ふさわしくは、電子データ管理システム上にあるメモリは、蓄積された薬剤投与データに対する投与メモリを含み、投与基準値は取り出す薬剤の最適量を計算する薬量メモリを構築する。
【００９７】
ふさわしくは、薬剤取り出し装置は、付随的に取り出しメカニズムから取り出す薬剤量を選択するセレクタを含む。ある形態では、このセレクタは手動操作が可能である。別の形態では、セレクタは、電子データ管理システムにある転送装置からの信号に応答して作動可能になる。
【００９８】
ふさわしくは、薬剤取り出し装置は、付随的には、グローバル・ポジショニング・システムまたは複数の伝達信号や三角測量のアルゴリズムを有した使用に依存したシステムのような地理的な位置を検出するシステムを含む。
【００９９】
ある形態では、このシステムは、呼吸に適した薬剤の供給に適切であり、付随的に使用者の呼吸を計測するセンサを含み、そこでは、このセンサは、電子データ管理システムに呼吸のデータを伝達する。
【０１００】
ある形態では、前記センサは、患者の呼吸に反応して作動可能である呼吸作動可能要素を含む。さらに、ふさわしくは、この呼吸作動可能要素は、羽根、翼、ピストン、及び羽根車で構成されたグループから選択される。
【０１０１】
他の形態では、前記センサは、使用者の呼吸に関連した呼吸プロフィールを感知する圧力センサを含む。
【０１０２】
さらに他の形態では、前記センサは、使用者の呼吸に関連した風量プロフィールを感知するための風量センサを含む。
【０１０３】
さらに他の形態では、前記センサは、使用者の呼吸に関連した温度プロフィールを感知する温度センサを含む。呼吸サイクルにおいて吸う息と吐く息の温度変化し、それは測定ツールとして使用してもよい。
【０１０４】
さらに他の形態では、前記センサは、使用者の呼吸に関連した湿度プロフィールを感知する湿度センサを含む。呼吸サイクルにおいて吸う息と吐く息の中にある湿度が変化し、それは、測定ツールとして使用してもよい。
【０１０５】
さらに他の形態では、前記センサは、使用者の息に関連した酸素と二酸化炭素のプロフィールを感知するガスセンサを含む。呼吸サイクルのおいて吸う息と吐く息の中にある化学プロフィールが変化し、それは、測定ツールとして使用してもよい。
【０１０６】
ふさわしくは、呼吸データは、呼吸サイクルのデータ、ＦＥＶ１、最大風量データを含む。
【０１０７】
ふさわしくは、薬剤取り出し装置は、付随的に前記薬剤容器から薬剤を放出する放出手段、前記放出手段のトリガとなるブレス・トリガを含み、前記ブレス・トリガは、電子データ管理システムからのトリガとなる信号に反応して作動可能となる。ふさわしくは、電子データ管理システムは、トリガとなる信号が送られるときの呼吸データから導かれる予測的なアルゴリズムまたはルックアップ表を含む。例えば、患者の呼吸波形の形体をリアルタイムの分析がされてもよく、これまで分析された波形を参照することによって、トリガとなる点を導いてもよい。
【０１０８】
ふさわしくは、薬剤容器は、噴霧式の容器である。ふさわしくは、噴霧式の容器は、液体発泡剤にある薬剤の懸濁液を含む。ふさわしくは、液体発泡剤は、ＨＦＡ１３４ａ、ＦＨＡ−２２７、もしくは二酸化炭素を含む。ある形態では、噴霧式の容器は、溶媒に薬液を溶かした溶液を含む。
【０１０９】
ふさわしくは、薬液容器は、錠剤または噴霧剤の形で、薬剤を封じ込めてもよい。
【０１１０】
ふさわしくは、薬剤容器は、乾燥粉末の容器である。ある形態では、この容器は、そこから（例えば一服分の分量の）薬剤を測定する測定手段によって接続可能である乾燥粉末薬剤の貯畜容器を含む。他の実施形態では、薬剤容器は、決められた量の粉末化された薬剤を含む、一つまたは個々のカプセル、または膨らみ部を持ってもよい。長い帯状の形体に複数ユニットの膨らみ部が、特に考えられる。
【０１１１】
ふさわしくは、薬剤粉末容器は、薬剤及び、選択的に乾燥粉末形式の賦形剤を含む。
【０１１２】
薬剤容器が噴霧式の容器である場合は、放出手段は、一般的にはバルブの機構を含む。薬剤容器が乾燥粉末蓄積容器を含む場合は、放出手段は、（例えば一服分の分量の）薬剤を測定する前記測定手段と一般的には、同時に作動してもよい。薬剤容器が、一つ、または個々のカプセルまたは膨らみ部を含む場合には、一般的に、放出手段は、容器の一部を破壊、剥離、または、容器の中身に到達する手段を含む。
【０１１３】
ふさわしくは、アルブテロ−ル、サルメテロール、プロピオン酸フルチカソン、臭化イプラトロピウム・ジプロピオン酸ベクロメタゾンの塩または溶媒、及びこれらの混合物からなるグループから選択される。ふさわしい組み合わされた製品は、サルメテロール・イクシナフォートとプロピオン酸フルチカソン、またはサルメテロールと臭化イプラトロピウムを含む。
【０１１４】
薬剤取り出し装置は、注射器の形体を含んでもよい。伝統的な注射器は、中空針によって患者の皮膚を貫通され、この針を通じて（例えば溶液または懸濁の形体にある）注射可能な薬剤は、薬剤容器（例えば注射容器のような形体）から患者の筋肉や細胞に注入される。注入可能に供給するための最近開発された針無しのシステムでは、皮膚を通じてまたは物理的に到達可能なよう細胞内に向かって、特別に調合された薬剤、またはワクチンといった高粘度の注入剤が採用される。また、他の針無しのシステムでは、適切なキャリア粒子で被覆された前記同様の薬剤またはワクチンである高粘度の注入剤が採用される。そのような針無しのシステムは、圧縮された空気または気体である動力源を含むような構成でもよく、この動力源は放出時には、皮膚内に向けて注入剤となる薬剤粒子を押し流すためのエネルギを提供する。
【０１１５】
本発明のもう一つの形態によれば、部分的なキットが提供され、このキットは、本体を含む薬剤取り出し装置、薬剤容器を受け入れるために形成された前記本体、薬剤容器を受け入れる形状をした本体を含んた薬剤取り出し装置を含み、データを送信及び受信するための第一のトランシーバが前記本体に連結されており、薬剤取り出し装置の本体によって受け入れ可能な薬剤容器とを含み、送信及び受信するデータが、前記第一のトランシーバから第二のトランシーバに二つの機能で通信が可能となるように、前記データを送信及び受信するための第二のトランシーバが前記薬剤容器に連結されている。
【０１１６】
ある形態では、薬剤容器は、薬剤取り出し装置の本体内に受け入れられるときのみ、第一のトランシーバから第二のトランシーバへ二つの機能でデータが転送可能となる。
【０１１７】
ある形態では、部品のキットは、薬剤取り出し装置が再使用可能な部品（例えば、一般的に高価な部品）、使い捨て部分（一般的には安価な部品）、及びリサイクル部分を含むように、構成されている。
【０１１８】
ある形態では、薬剤取り出し装置は、外側のケーシング、第一のトランシーバ、電子データ管理システム、電子表示部、再充電可能なバッテリ、及び選択的に、様々なセンサで構成されたグループから選択された再使用可能な要素を含むような構成でもよい。一方、薬剤容器は、使い捨て可能な薬剤パック、使い捨て可能なバッテリ、使い捨て可能な第二のトランシーバ、及び選択的に使い捨て可能なマウスピース／放出手段でなるグループで構成されたグループから選択された使い捨て／リサイクル要素を含んでもよい。
【０１１９】
本発明の他の形態によると、電子データ管理システム、及び遠隔データ管理システムを含む以前に述べた薬剤容器からなる提供されたシステムがあり、そこでは、データは、薬剤容器の電子データ管理システムと遠隔データ管理システムとの間を転送可能とする。この遠隔の項目は、薬剤容器から分離した遠隔データ管理システムがシステムまたはその装置の部分を形成する手段として使用される。
【０１２０】
ある形態では、遠隔データ管理システムは、これまでに述べたような局所データ管理システムを含む。
【０１２１】
他の形態では、遠隔データ管理システムは、これまでに述べたようなネットワーク・コンピュータ・システムを含む。
【０１２２】
本発明に従った実施形態は、添付の図面を参照して以下に説明する。
【０１２３】
図１の（ａ）及び（ｂ）は、噴霧式の容器２を受け入れるように形成された管状のアクチュエータハウジング１を含んだ計量された薬剤吸入装置を示している。このアクチュエータハウジングの一端は開いており、他端部は閉じている。出口３は、ハウジング１の前記閉じた端部から横方向に導かれる。この図示された実施形態において、出口３は、患者の口の中へ挿入するためのマウスピースの形をしており、もし望まれるなら、患者の鼻孔に挿入するためのノズルのような形でもよい。噴霧式の容器２は、一端に出口弁４を有する。この弁は、噴霧式の容器から計量された一服分の薬剤を放出するための放出手段として機能する。この放出手段は、噴霧式の容器に関連した弁４の内側方向への動きによって、作用可能となる。
【０１２４】
図１の（ａ）及び（ｂ）の計量された薬剤吸入装置は、ハウジング６の拡張部に含まれた電子データ管理システム１０を含む。視覚表示画面１２は、患者に向けて電子データ管理システムからの情報の表示を可能とする。電子データ管理システム１０は、患者の呼吸パターンを感知するセンサ（図には示してはいない）、及び容器２から噴霧状に放出するアクチュエータ（図には示してはいない）に結び付けられている。
【０１２５】
化学反応をおこさないキャリア２５上にタグ２０の形式を有した間接的に作動するトランシーバは、噴霧式の容器２の側面に取り付けられている。タグ２０に対して読み出し装置３０が形成された直接的に作動するトランシーバは、ハウジングの内部表面に取り付けられている。その読み出し装置３０は、電子データ管理システム１０のデータ伝達を可能にする。読み出し装置３０は、（破線矢印で示されるように）タグ２０のエネルギを送信及び受信することによって、噴霧式の容器２に取り付けられたタグ２０の情報を読み書きする能力も有する。
【０１２６】
他の実施形態では、タグ２０は、無線周波数を認識するタグが含まれ、直接的に作動するトランシーバ３０は、必要とされる高周波エネルギを使用することにより、そこからのデータを読み出し、及び書き込みこと能力を有する。また、他の実施形態では、タグ２０は、マグネットラベルが含まれ、前記の直接的に作動するトランシーバ３０は、必要とされる磁気エネルギを使用することにより、そこからのデータを読み出し及び書き込みことが可能となる。
【０１２７】
図２は、（図には示していない）呼吸用の薬剤供給システムのハウジング内に含まれた電子データ管理１１０の構造を示す。電子データ管理システム１１０は、図１の（ａ）及び（ｂ）に示す例えば、計量された薬剤吸入装置に備えられてもよい。データ管理システム１１０は、中央集積回路（ＣＰＵ）１４０、ＲＡＭ１４１、ＲＯＭ１４２を含む。ＣＰＵ１４０は、読み出し装置１３０に二通りのデータを転送する。前記読み出し装置１３０は、（例えば薬剤容器上に）タグ１２０を形成する間接的に作動するトランシーバに対して情報の読み書きの能力を有す。タグ１２０は、ＲＦＩＤタグまたはマグネット・タグからなる。図１の（ａ）及び（ｂ）に示すように、読み出し装置１３０は、薬剤供給システムのハウジングの一部に形成され、タグ１２０は、本体に受け入れることができるように再充填可能な薬剤容器に取り付けられている。ＣＵＰ１４０は、例えば呼吸センサまたは薬剤供給システムの挙動を感知するセンサのようなセンサ１５０から、患者のデータも受け取る。受け取られたデータは、薬剤の蓄積データ１４３ａ及び個々の患者の蓄積データ１４３ｂを蓄積可能な二つのデータベースを含むデータ蓄積装置１４３に蓄積可能となる。ＣＰＵ１４０は、患者の入力命令、クロック１４５、及び患者の情報を表示するためのディスプレイ・ドライバ１１１と表示画面１１２を受け取るために、マン・マシーン・インターフェイス１４４に関連付けられている。ＣＰＵ１４０は、モデム１５６を介して（図には示されていない）ネットワーク・コンピュータ・システムと繋がって伝達可能となるように、前記システムに連結した伝達機構のポート１５５と関連付けられている。
【０１２８】
図３の（ａ）及び（ｂ）は、（図３（ａ）に示すように）計量された薬剤吸入装置内に使用するにあたって、薬剤取り出すための柄部２０４を有した噴霧式の容器２０２のネック部に取り付け可能な形状をしたカラー・リング２６０を示している。前記カラー・リングは、噴霧式の容器２０２にカラー２６０に溶接した溶接リング２６４も含む。カラー・リングは、電気的消去及びプログラム可能な読み出し専用メモリ（ＥＥＰＲＯＭ）のチップ２２０を形成する直接的に作動するトランシーバも含む。このチップ２２０は、電気的な接点パッド２２５に伝達する。
【０１２９】
図４には、（図３の（ａ）及び（ｂ）に示された）カラー・リング３６０を有した噴霧式の容器３０２の受け入れ部を形成したアクチュエータ・ハウジング３０１が示されている。このハウジングは、マウスピース３０３を形成した出口と、噴霧式の容器の柄部を有した弁３０４を受け入れるような形をした投与ノズル３０５と、を有したアクチュエータ・ブロックを有する。（図には詳細は示していないが）ハウジング３０１の後部には、電子データ管理システム３１０が収容可能なように拡張部３０６がある。カラー・リング３６０上に、ＥＥＰＲＯＭを形成した間接的に作動するトランシーバ３２０は、電気的な接点３２５を経由して、データ管理システム３１０に伝達する。データ管理システム３１０は、間接的に作動するトランシーバ３２０に対する読み出し装置を含む。よって、データは、電子データ管理システム３１０と間接的に作動するトランシーバ３２０との間で、読み書きをする際に転送される。
【０１３０】
図５ａ及び図５ｂには、粉末薬剤を閉じ込めるための膨れ部４０４を含んだ細長い帯を形成する薬剤容器４０２が示されている。膨れ部４０４がたった１つである単純なものが図示されているが、（例えば軸方向に整列した）多数の膨れ部を有するような認識でもよい。図５ｂからもわかるように、膨れ部４０４の反面は、電子メモリチップを形成したタグ４２０が備えられている。ある形態では、電気的な入力部４２４ａ及び４２４ｂに伝達するように電気的接点４２２ｂと４２２ａの手段によってチップ４２０に動力が供給される。このチップ４２０は、チップ４２０に対してエネルギとデータを転送することが可能なアンテナ４２５に接触している。
【０１３１】
図５ａ及び図５ｂの膨らみをもった帯４０２は、（図示していない）薬剤取り出し装置によって受け入れ部を持った設計となっている。多数のユニットをもった乾燥粉末薬剤の取り出し装置は、例えば、米国特許第６，０３２，６６６号明細書に示されるようなディスカス（Ｄｉｓｋｕｓ）（登録商標）としてＧａｌａｘｏＳｍｉｔｈＫｌｉｎｅ社によって市販された装置に含まれる技術によって知られている。
【０１３２】
本発明の薬剤取り出し装置は、ぜんそく及び慢性閉塞性肺疾患（ＣＯＰＤ）に含まれる肺や気管の疾患のような呼吸性の疾患の処置に向けた薬剤の取り出しにふさわしい形態の一つである。
【０１３３】
適切な薬剤は、コデイン、ジハイドロモルフィン、エルゴタイミン、フェンタニール、またはモルヒネのような鎮痛剤、ジルチアゼムのような狭心症の製薬、（例えばナトリウム塩として）クロモグラフィケート、ケトチフェン、または（例えばナトリウム塩として）ネドクロミルのような抗アレルギ薬、セルファロポリン、ペニシリン、ストレプトマイシン、サルホナマイド、テトラサイクリン、及びペンタミジンのような抗感染薬、メタピレンのような抗ヒスタミン薬、（例えばジプロピオン酸エステルとして）ベクロメタゾン、（例えばジプロピオン酸エステルとして）フルチカソン、フルニソリド、ブデソニド、ロフェポニド、（例えばフロエートエステルとして）モメタソン、シクロニド、（例えばアセトニドとして）トリアムシノロン、または６α，９α−フルオロ−１１βヒドロキシ−１６α−メチル−３−オキソ−１７α−プロピオニルオキシ−アンドロスタン−１，４−ジメチル１７β−カボソニック酸Ｓ−（２−オキソ−テトラヒドロ−フラン−３−イル）エステルのような抗炎症薬、ノスカピンのような鎮咳薬、（例えば遊離塩基、サルファネートのような）アフロブテロール、（例えばイクシナフォートのような）サルメトロール、エフェドリン、アドレナリン、（例えば臭化水素酸のような）フェノテロール、（例えばフマラーゼのような）フォモテロール、イソプレナリン、メタプロテレノール、フェニレフリン、フェニルプロパノールアミン、（例えばアセテートのような）ピロブテロール、イソエタリン、（例えば塩酸塩のような）ツルブテロール、または４−ヒドロキシー７−［２−［［２−［［３−（２−フェニレオキシ）プロピル］スルフォニル］エチル］アミノ］エチル−２（３Ｈ）ベンゾシアゾネートのような気管支拡張薬、（例えばマレエイトのように、（２Ｒ，３Ｒ，４Ｓ，５Ｒ）−２−［６−アミノ−２−（１Ｓ−ヒドロキシメチル−２−フェニル−エチルアミノ）−プリン−９−イル］−５−（２−エチル−２Ｈ−テトラゾール−５−イル）−テトラピドロ−フラン−３，４−デオルのようなアデノシン２ａアルゴシン、（例えば、遊離塩基またはカリウム塩のような）（２Ｓ）−３−［４−（｛［４−（アミノカルボニル）−１−ピペデニル］カルボニル｝オキシ）フェニル］−２−［（（２Ｓ）−４−メチル−２−｛［２−（２−メチルフェノキシ）アセチル］アミノ｝ペンタノール）アミノ］プロパン酸のようなα４インテグリンインヒビタ、アシロライドのような利尿薬、（例えば臭化物として）イプラトロピウム、チオトロピウム、アトロピン、またはオキソピウムのようなコリン抑制薬、コルチゾン、ヒドロコルチゾン、またはプレドロニゾンのようなホルモン薬、アミノフェニリン、コリン、テオフィリネート、リジン・テオフィリネート、またはテオフィリンのようなキサンチン、インスリン、またはグルカゴンのような治療たんぱく質及びペプチド、ワクチン、治療薬、遺伝子治療薬から選択できる。薬剤が（アルカリ金属塩またはアミン塩または酸が付加されたような）塩、または（低アルキル・エステルのような）エステル、または薬剤の活性と安定性を最大限に利用した（水和物のような）溶媒化合物の形体で使用してもいいことは当業者には明らかである���
【０１３４】
ふさわしくは、アルブテロ−ル、サルメテロール、プロピオン酸フルチカソン、臭化イプラトロピウムの塩または溶媒、サルブテロールのサルファート、及びサルメテロールのイクシナフォートから選択される。
【０１３５】
薬剤は組み合わされて注入されてもよい。好ましい調合は、サルブタモール（例えばその遊離塩基またはサルファート塩）、またはサルメテロール（例えばイクシナフォート塩）、またはホルモテロール（例えばフマル酸塩）活性成分のの組み合わせを含み、ベクロメタゾンエステル（例えばベクロメタゾンなど）、またはフルチカソンエステル（例えばプロピオネート）、またはブデソネートのような抗炎症ステロイドの組み合わせを含む。特にふさわしい組み合わせは、プロピオン酸フルチカソン、サルメテロール、またはそれらで構成される塩（特にイクシナフォート塩）の組み合わせである。特に興味深い更なる組み合わせは、（例えばフマル酸塩のような）ブデソネート及びフルモテートである。また興味深い更なる組み合わせは、サルメテロール、（特にイクシナフォート塩のよいな）そこに構成される塩、及び臭化イプラトロピウムである。
【０１３６】
他の実施形態による本発明の薬剤取り出し装置は、患者に注射可能な薬剤を供給する注射器である。伝統的な注射器は、中空針によって患者の皮膚を貫通され、この針を通じて、（例えば溶液または懸濁の形体にある）注射可能な薬剤は、薬剤容器（例えば注射容器のような形体）から患者の筋肉や細胞に導入される。注入可能に供給される最近開発された針無しのシステムでは、皮膚を通じてまたは物理的に接近可能に細胞内に向かって、薬剤、またはワクチンが調合された粒子をもった高粘度の注入物が採用される。他の針無しのシステムでは、同様にふさわしいキャリアの粒子で被覆された薬剤またはワクチンの高粘度の注入物が適用される。
【０１３７】
本開示は、図としてのみ意図するところ、及びこれらの修正、変更及び改良で拡張された発明も理解されるであろう。
【０１３８】
この記載事項、および請求が形成する明細書は、従属した明細書に関して優先権の基づいて使用されてもよい。従属した明細書の請求の範囲は、あらゆる特徴とそこに記載された特徴の組み合わせで述べられてもよい。またそれらは、製品、方法及び使用を表す請求の範囲の形を有し、いかなる制限も受けず、実施例によって前述した請求の範囲より多く含まれても良い。
【図面の簡単な説明】
【図１】図１の（ａ）及び（ｂ）は、ハウジングの構成要素と噴霧式の容器を組み込まれた形態、取り外された形態における計量された薬剤吸入装置の代表例を示す斜視図である。
【図２】図２は、計量された薬剤吸入装置を使用するための電子データ管理システムの代表例を示す。
【図３】図３の（ａ）及び（ｂ）は、計量された薬剤吸入装置を使用する際に、噴霧式の容器を取付けるためのリング・カラを示す斜視図である。
【図４】図４は、図３の（ａ）及び（ｂ）に示されたリング取り付ける時、噴霧式の容器を受け入れるのに適切なアクチュエータ・ハウジングの断面図を示す。
【図５】図５（ａ）及び（ｂ）は、膨らみを持った長い帯状の形をした薬剤容器の斜視図を示す。
【符号の説明】
１　　　アクチュエータ・ハウジング
２　　　噴霧式の容器
３　　　出口
１０　　電子データ管理システム
１２　　表示画面
２０　　タグ
３０　　読み出し装置
２５　　キャリア
【図１】
2004503338.tif 000003
2004503338.tif 000004
【図２】
2004503338.tif 000005
【図３】
2004503338.tif 000006
【図４】
2004503338.tif 000007
【図５】
2004503338.tif 000008
【国際公開パンフレット】
2004503338.tif 000009
2004503338.tif 000010
2004503338.tif 000011
2004503338.tif 000012
2004503338.tif 000013
2004503338.tif 000014
2004503338.tif 000015
2004503338.tif 000016
2004503338.tif 000017
2004503338.tif 000018
2004503338.tif 000019
2004503338.tif 000020
2004503338.tif 000021
2004503338.tif 000022
2004503338.tif 000023
2004503338.tif 000024
2004503338.tif 000025
2004503338.tif 000026
2004503338.tif 000027
2004503338.tif 000028
2004503338.tif 000029
2004503338.tif 000030
2004503338.tif 000031
2004503338.tif 000032
2004503338.tif 000033
2004503338.tif 000034
2004503338.tif 000035
2004503338.tif 000036
2004503338.tif 000037
2004503338.tif 000038
2004503338.tif 000039
2004503338.tif 000040
2004503338.tif 000041
2004503338.tif 000042
2004503338.tif 000043
2004503338.tif 000044
2004503338.tif 000045
2004503338.tif 000046
2004503338.tif 000047
2004503338.tif 000048
2004503338.tif 000049
2004503338.tif 000050
2004503338.tif 000051
2004503338.tif 000052
2004503338.tif 000053
2004503338.tif 000054
【国際調査報告】
2004503338.tif 000055
2004503338.tif 000056
2004503338.tif 000057